(57)【要約】【課題】顔面神経根持続刺激電極に要求される安定した装着ができる顔面神経根持続刺激電極と、この電極を使用した顔面表情筋の筋電図モニタリング装置を提供する。【解決手段】顔面神経根持続刺激電極１０は、脳幹の顔面神経核から延在する顔面神経根を電気的に刺激して顔面神経が支配する眼輪筋と口輪筋の収縮反応をモニタリングするための顔面神経根持続刺激電極１０であって、顔面神経根Ｈ２を電気的に刺激する微弱電流が供給される電極１ａと、電極１ａに電気的接続され、顔面神経根Ｈ２に当接する当接部２ｂと、当接部２ｂを露出させて電極１ａを被覆するガード部２と、薄片形状をなし前記ガード部２の周りに張り出すように形成された延設部３と、を備え、脳幹Ｆから出てきた顔面神経根Ｈ２と、顔面神経根Ｈ２に交差する前下小脳動脈Ｍとの間に延設部３を挟むようにして保持し、当接部２ｂを顔面神経根Ｈ２に密着させて固定するように構成した。【選択図】図５
2010213979.tif 000002
【特許請求の範囲】
【請求項１】
脳幹（Ｆ）の顔面神経核（Ｇ）から延在する顔面神経（Ｈ）の根元である顔面神経根（Ｈ２）を電気的に刺激して顔面神経（Ｈ）が支配する眼輪筋（Ｊ）と口輪筋（Ｋ）の収縮筋電図反応をモニタリングするための顔面神経根持続刺激電極（１０）であって、
前記顔面神経根（Ｈ２）を電気的に刺激する微弱電流が供給される電極（１ａ）と、前記電極（１ａ）に電気的接続され、前記顔面神経根（Ｈ２）に当接する当接部（２ｂ）と、
前記当接部（２ｂ）を露出させて前記電極（１ａ）を被覆するガード部（２）と、
薄片形状をなし前記ガード部（２）の周りに張り出すように形成された延設部（３）と、を備え、
脳幹（Ｆ）から出てきた前記顔面神経根（Ｈ２）と、前記顔面神経根（Ｈ２）に交差する前下小脳動脈（Ｍ）との間に前記延設部（３）を挟むようにして保持し、前記当接部（２ｂ）を前記顔面神経根（Ｈ２）に密着させて固定するように構成したことを特徴とする顔面神経根持続刺激電極（１０）。
【請求項２】
前記延設部（３）は前記ガード部（２）の全周に設けられたことを特徴とする請求項１に記載の顔面神経根持続刺激電極（１０）。
【請求項３】
前記延設部（３）はシリコンから形成なることを特徴とする請求項１または請求項２に記載の顔面神経根持続刺激電極（１０）。
【請求項４】
前記当接部（２ｂ）は、前記顔面神経根（Ｈ２）の外周面に合わせて凹形状（２ｃ）または凸形状（２ｅ）、フラット形状（２ｆ）に形成されたことを特徴とする請求項１に記載の顔面神経根持続刺激電極（１０）。
【請求項５】
請求項１から請求項４に記載の顔面神経根持続刺激電極（１０）と、
前記顔面神経根持続刺激電極（１０）が装着される患者の顔面神経根（Ｈ）を刺激する電気刺激手段（６ａ）と、
前記顔面神経根持続刺激電極（１０）で刺激された前記顔面神経（Ｈ）が支配する眼輪筋（Ｊ）と口輪筋（Ｋ）の筋肉の収縮反応を表示する表示手段（６ｂ）と、
を備えたことを特徴とする顔面神経根持続刺激電極（１０）を使用した顔面表情筋の筋電図モニタリング装置（１２）。
【発明の詳細な説明】
【技術分野】
【０００１】
本発明は、顔面神経線維を刺激する顔面神経根持続刺激電極、および、顔面神経根持続刺激電極を使用した顔面表情筋の筋電図モニタリング装置に関する。
【背景技術】
【０００２】
顔面神経は、１２ある脳神経の一つであり、第七脳神経と呼ばれている。顔面神経は、顔の表情を作る「表情筋」の運動を支配し、顔面を覆う筋肉は、顔面神経という一本の神経によって調節されている。
図１３は、人の顔面表情筋に４つの分枝を出す顔面神経を説明する模式図である。図１３に示すように、脳の中の顔面神経核Ｇから出た顔面神経Ｈは、右耳の奥から出てきて、表情筋、つまり、右目の眼輪筋Ｊと右口元の口輪筋Ｋに至る。
【０００３】
図１４は、図１３の顔面神経を示す拡大図である。図１４に示すように、顔面神経Ｈは、顔面神経核Ｇから神経線維を送り出し、隣接する聴神経Ｌの裏を通って出ているのが判る。この顔面神経Ｈは、脳幹内部の顔面神経Ｈ１と、脳幹から出てきた根元のところを示す顔面神経根Ｈ２と、脳槽部の顔面神経Ｈ３と、側頭骨内の顔面神経Ｈ４（図示してある！）とから構成されている。
【０００４】
図１５は、従来の釣り鐘形の電極を示す斜視図である。図１６は従来の釣り鐘形の電極を留置した様子を示す説明図である。
図１５に示すように、従来の釣り鐘形電極１６は、上部が釣り鐘の形状をしており、下部は半球状にしたガード部によって球状に形成されている。また、図１６に示すように、この釣り鐘形電極１６の留置位置は、顔面神経の起始部に接触するように留置し、１Ｈｚの頻度で持続的に顔面神経を刺激するようにしている。
【先行技術文献】
【非特許文献】
【０００５】
【非特許文献１】河野道宏、谷口真「聴神経腫瘍・小脳橋角部腫瘍手術における術中顔面神経モニタリング」臨床脳波  vol５０no.８-２００８／８  永井書店
【発明の概要】
【発明が解決しようとする課題】
【０００６】
しかしながら、この電極１６が釣り鐘形をした球状をしているため、顔面神経の上に留置しただけではなかなか安定しないという問題があった。また、釣り鐘形電極１６は、リード線（電気コード）に微小の力がかかると動いてしまうため、顔面神経の一定の箇所を持続して刺激することが困難であるという問題があった。
さらに、従来の釣り鐘形電極１６は、顔面神経に密着させ、安定して載置することが困難であり、移動したり、刺激位置がずれてしまうという問題があった。
このため、従来の顔面神経のモニタリング装置よりも、より安定して持続的に、確実に刺激ができてモニタリングができる顔面神経持続刺激電極と、それを使用したモニタリング装置が求められていた。
【０００７】
そこで、本発明は、これらの問題を解決するために創案されたものであり、顔面神経の根元を持続的に刺激して安定した刺激やモニタリングができる顔面神経根持続刺激電極の提供と、この顔面神経根持続刺激電極を使用した顔面表情筋の筋電図モニタリング装置を提供することを課題とする。
【課題を解決するための手段】
【０００８】
前記した課題の解決を達成するため、請求項１に記載の顔面神経根持続刺激電極（１０）の発明は、脳幹（Ｆ）の顔面神経核（Ｇ）から延在する顔面神経（Ｈ）の根元である顔面神経根（Ｈ２）を電気的に刺激して顔面神経（Ｈ）が支配する眼輪筋（Ｊ）と口輪筋（Ｋ）の収縮筋電図反応をモニタリングするための顔面神経根持続刺激電極（１０）であって、前記顔面神経根（Ｈ２）を電気的に刺激する微弱電流が供給される電極（１ａ）と、前記電極（１ａ）に電気的接続され、前記顔面神経根（Ｈ２）に当接する当接部（２ｂ）と、
前記当接部（２ｂ）を露出させて前記電極（１ａ）を被覆するガード部（２）と、薄片形状をなし前記ガード部（２）の周りに張り出すように形成された延設部（３）と、を備え、
脳幹（Ｆ）から出てきた前記顔面神経根（Ｈ２）と、前記顔面神経根（Ｈ２）に交差す
る前下小脳動脈（Ｍ）との間に前記延設部（３）を挟むようにして保持し、前記当接部（
２ｂ）を前記顔面神経根（Ｈ２）に密着させて固定するように構成したことを特徴とする
。
【０００９】
請求項２に係る発明は、請求項１に記載の顔面神経根持続刺激電極（１０）であって、前記延設部（３）は前記ガード部（２）の全周に設けられたことを特徴とする。
【００１０】
請求項３に係る発明は、請求項１または請求項２に記載の顔面神経根持続刺激電極（１０）であって、前記延設部（３）はシリコンから形成なることを特徴とする。
【００１１】
請求項４に係る発明は、請求項１に記載の顔面神経根持続刺激電極（１０）であって、前記当接部（２ｂ）は、前記顔面神経根（Ｈ２）の外周面に合わせて凹形状（２ｃ）または凸形状（２ｅ）、フラット形状（２ｆ）に形成されたことを特徴とする。
【００１２】
請求項５に係る発明は、顔面神経根持続刺激電極（１０）を使用した顔面表情筋の筋電図モニタリング装置（１２）であって、請求項１から請求項４に記載の顔面神経根持続刺激電極（１０）と、前記顔面神経根持続刺激電極（１０）が装着される患者の顔面神経根（Ｈ）を刺激する電気刺激手段（６ａ）と、前記顔面神経根持続刺激電極（１０）で刺激された前記顔面神経（Ｈ）が支配する眼輪筋（Ｊ）と口輪筋（Ｋ）の筋肉の収縮反応を表示する表示手段（６ｂ）と、を備えたことを特徴とする。
【発明の効果】
【００１３】
請求項１に係る発明によれば、顔面神経根持続刺激電極は、脳幹から出てきた顔面神経の根元である顔面神経根と、この顔面神経根に交差する前下小脳動脈との間に前記延設部を挟むようにして保持し、当接部を顔面神経根に密着させて固定するように構成したことにより、顔面神経根の安定した刺激ができるため、顔面神経核から延設された顔面神経根に装着して眼輪筋と口輪筋を支配する筋肉の収縮反応をモニタリングすることができる。さらに、顔面神経根持続刺激電極に要求される安定した装着ができるため、安定した刺激やモニタリングができる顔面神経根持続刺激電極の提供ができる。
【００１４】
請求項２に係る発明によれば、延設部はガード部の全周に設けられたことにより、脳幹から出てきた顔面神経根と、この顔面神経根に交差する前下小脳動脈との位置にずれがあっても柔軟に延設部を挟むことができるため、顔面神経根に安定した刺激をすることができる。
【００１５】
請求項３に係る発明によれば、延設部がシリコンから形成なることにより、シリコンは生体親和性樹脂であり、柔らかく、周辺の脳および血管組織に対してソフトに接触できるため、傷つけにくい。また、シリコンの柔軟性により、生体の間になじんでしっかりと電極部を貼付できる。
【００１６】
請求項４に係る発明によれば、当接部は、顔面神経根の外周面に合わせて凹形状、または、凸形状、フラット形状に形成された電極の中から選択され、顔面神経根に密着させることができるので、顔面神経根持続刺激電極に要求される安定した刺激とモニタリングができる顔面神経根持続刺激電極の提供ができる。
【００１７】
請求項５に係る発明によれば、顔面神経根持続刺激電極を使用したモニタリング装置は、安定した装着が容易にできる顔面神経根持続刺激電極を使用することにより、ノイズを低減し、クリアな波形によって、解読が容易な鮮明な波形を得ることができ、記録感度と記録強度を向上させる顔面表情筋の筋電図モニタリング装置を提供することができる。
【図面の簡単な説明】
【００１８】
【図１】本発明の顔面神経根持続刺激電極の全体を示す全体図である。
【図２】図１に示す電極部の顔面神経根持続刺激電極の拡大図であり、（ａ）は左側面図、（ｂ）は正面図、（ｃ）は右側面図である。
【図３】図１に示す電極部の顔面神経根持続刺激電極の拡大図であり、（ａ）は左側面図、（ｂ）は正面図、（ｃ）は右側面図である。
【図４】図１に示す電極部の顔面神経根持続刺激電極の拡大図であり、（ａ）は左側面図、（ｂ）は正面図、（ｃ）は右側面図である。
【図５】図２に示す顔面神経根持続刺激電極の断面図拡大であり、（ａ）は電極部の当接部が凹形状のもの、（ｂ）は当接部が凸形状のもの、（ｃ）当接部がフラット形状のものを示す拡大断面図である。
【図６】図１４に示す二点鎖線の領域の拡大図であり、本発明の顔面神経根持続刺激電極の装着場所を示す拡大図である。
【図７】顔面神経根と前下小脳動脈または細小動脈との間に装着した様子を示し、（ａ）は当接部が凹形状の電極部、（ｂ）は当接部が凸形状の電極部、（ｃ）当接部がフラット形状の電極部を示す模式図である。
【図８】顔面神経根持続刺激電極のもう一つの実施例を示す拡大図であり、（ａ）は左側面図、（ｂ）は正面図、（ｃ）は右側面図である。
【図９】顔面神経根持続刺激電極のもう一つの実施例を示す拡大図であり、（ａ）は左側面図、（ｂ）は正面図、（ｃ）は右側面図である。
【図１０】（ａ）、（ｂ）はもう一つの実施例を示し、顔面神経根持続刺激電極を装着した様子を示す拡大図である。
【図１１】（ａ）は顔面神経根持続刺激電極を使用したモニタリング装置の全体のシステム構成を示す模式図、（ｂ）は顔面神経根持続刺激電極モニタリング装置の構成を示すブロック図である。
【図１２】モニター画像の波形を示し、（ａ）は眼輪筋、（ｂ）は口輪筋の波形である。
【図１３】人の顔面表情筋に４つの分枝を出す顔面神経を説明する模式図である。
【図１４】図１３の顔面神経根を示す拡大図である。
【図１５】従来の釣り鐘形の電極を示す斜視図である。
【図１６】従来の釣り鐘形の電極を留置した様子を示し、左側の症例を示す説明図である。
【発明を実施するための形態】
【実施例１】
【００１９】
図１に示すように、顔面神経根持続刺激電極１０は、電極部１と電線部１３とから構成されている。
【００２０】
≪電極部の構成≫
図１に示すように、顔面神経根持続刺激電極１０の電極部１は、断面すると図５の（ａ）に示すように、顔面神経根Ｈ２（図６参照）を電気的に刺激する電極１ａと、電極１ａに電気的接続され、顔面神経根Ｈ２に当接する当接部２ｂと、この当接部２ｂを露出させ、電極１ａのその他の周りを包囲する絶縁体で形成したガード部２と、ガード部２の周りに張り出すように形成された延設部３とから構成されている。
【００２１】
＜電極＞
図５の（a）に示すように、電極１ａは、顔面神経根Ｈ２に持続的に刺激を与えるための電極であり、薄い円盤上に形成されている。電極１の材質は、例えば、白金（Ｐｔ）箔から形成されている。電極１ａの直径ｄは約２．０ｍｍ、厚みＴが０．５ｍｍであり、薄型の円形をしている。電線は電極１ａから直角に立ち上がっている。
【００２２】
＜電極部のサイズ＞
電極部１の直径ｄ２は、図２（ｂ）、図３（ｂ）、図４（ｂ）に示すように、φ２．５ｍｍである。また、高さ寸法ｈは約２．０ｍｍ、ｈ１は０．２５ｍｍ、ｈ２は１．５ｍｍ（図２（ｂ）参照）である。延設部３の厚みｔは０．２５ｍｍである。
また、図２の（ｂ）に示すように、延設部３の直径ｄ１は、３．５ｍｍ（直径２．５ｍｍ＋０．５ｍｍ×２）である。
図３の（ｂ）に示すように、延設部３′の直径ｄ１′は、４．５ｍｍ（直径２．５ｍｍ＋１．０ｍｍ×２）である。
図４の（ｂ）に示すように、延設部３″の直径ｄ１″は、５．５ｍｍ（直径２．５ｍｍ＋１．５ｍｍ×２）である。
なお、図３、図４の（ｂ）に示すように、延設部３の直径を大きくするに従い、厚みｔを、０．２５〜０．５ｍｍの範囲で厚くしてもよい。
なお、電極１ａの形状は円形のほかに、小判形や、楕円形であっても構わない。
【００２３】
＜当接部の構成＞
当接部２ｂは、電極１ａと電気的に接続しており、導電性の高い金属によって形成されている。導電性の高い金属は、例えば、金（ＡＵ）が好適である。金は、極めて電気抵抗が小さいことから、安定した電気的刺激を与えることができる。また、当接部２ｂは、顔面神経根Ｈ２の外周面に合わせて当接しやすくするために凹部２ｃに形成されている。この凹部２ｃのくぼみは、０．２ｍｍが好適である。
【００２４】
図５の（ｂ）は、当接部２ｂが凸形状である。図５の（ｂ）に示すように、（ａ）との相違点は、顔面神経根持続刺激電極１０′の電極部１′の当接部２ｂの形状が、凸部２ｅに形成されている点である。凸部２ｅのふくらみは、０．０５〜０．２ｍｍが好適である。
図５の（ｃ）は、当接部がフラット形状である。図５の（ｃ）に示すように、（ａ）との相違点は、顔面神経根持続刺激電極１０″の電極部１″の当接部２ｂの形状が、フラット部２ｆに形成されている点である。
これらの３種類の顔面神経根持続刺激電極の実際の臨床での使用頻度を概算する。顔面神経根持続刺激電極１０と、顔面神経根持続刺激電極１０′と、顔面神経根持続刺激電極１０″での比率は、約６：２：２である。
【００２５】
＜ガード部の構成＞
ガード２は、前記した当接部２ｂを除き、絶縁材の樹脂で被覆してガードしている。その形状は正面視では三角形であり、円錐状に形成されている。また、図２、図３、図４の（ｃ）に示すように、凹部２ｃに当接する顔面神経根Ｈ２の軸線ｃの方向に合わせたライン状、またはドッド状のマーキング２ｄが貼付、または、刻設されている。マーキング２ｄの色は、ガード２の樹脂が黒色であるため、明度の開きが大きい黄色とするが、たとえば、白色、赤色や緑色、その他の色であっても構わない。このガード２の下部の外周部には、全周に亘って延設部３が形成されている。
【００２６】
＜延設部の構成＞
延設部３，３′，３″は、図２〜４に示すように、ガード部２の全周に亘って張り出すように、ハット状に設けられている。この延設部３の材質は、生体親和性樹脂によって形成されている。この生体親和性樹脂は、たとえば、シリコン（シリコーンともいう）から形成されている。このシリコンは有機珪素化合物の集合体であり、ゴムのように弾力性に富むので、臓器の隙間に装着するには傷を付けにくいため、好適である。この延設部３，３′，３″は、また、シリコンの代わりに、同様に弾力性に富み、柔らかいポリウレタン樹脂、ソフトプラスチックやゴム等であってもよい。
延設部３，３′，３″の外縁部は、図５に示すように、丸くＲ状にした形状にしている。
なお、延設部３の形状は、これは一例であって、この他の形状は、例えば、一部を切り欠いた形状であっても構わない。
【００２７】
＜取手＞
取手２ａは、円錐状に形成されたガード部２の頂部に設けられた棒状部であり、電極部１を臓器の間に押し分けて装着する際にピンセット（図示せず）によって把持する把持部である。その取手２ａの長さＬは１．５〜２ｍｍである。その取手２ａの先端から第１電線１ｂが延設されている。この取手２ａによって容易に把持できるため、電極部１を装着しやすくできる。
【００２８】
＜電線部の構成＞
図１に示すように、電線部１３は、極細の長さ０．５ｍの第１電線１ｂに接続され、ジョイント１ｃを介して約２．０ｍの細線の第２電線１ｄに接続され、ピンチップ１ｅのプラグに接続されている。
なお、第１電線１ｂは、ここでは太さφ０．４ｍｍであるが、φ０．３〜０．５ｍｍが好適であり、赤色の絶縁体によって皮膜されている。第２電線１ｄの太さはφ１．２ｍｍであり、これより長くしても短くしても構わない。
【００２９】
＜電極部の装着場所＞
ここで、顔面神経根持続刺激電極１０の電極部１の装着場所を説明する。
図６に示すように、電極部１の装着場所は、顔面神経Ｈが脳幹Ｆから出た直後の根元、つまり、顔面神経根Ｈ２と前下小脳動脈Ｍとの間である。顔面神経根Ｈ２と前下小脳動脈Ｍはくも膜ひだによって密着しているが、前下小脳動脈Ｍは、顔面神経根Ｈ２から容易に剥がすことができる。この前下小脳動脈Ｍを顔面神経根Ｈ２から剥がし、その間の隙間に電極部１の延設部３をすべりこませ、これらの太い血管によって電極部１をしっかり挟持し、固定する。
【００３０】
または、電極部１の装着場所は、脳幹Ｆから出た顔面神経Ｈの直後の根元、つまり、顔面神経根Ｈ２と細小動脈Ｎとの間である。顔面神経根Ｈ２と細小動脈Ｎはくも膜ひだによって密着しているが、細小動脈Ｎは顔面神経根Ｈ２から容易に剥がすことができる。この細小動脈Ｎを顔面神経根Ｈ２から剥がし、その間の隙間に、電極部１の延設部３をすべりこませ、これらの細い血管によって電極部１を挟持し、固定する。
つまり、脳幹Ｆから顔面神経根Ｈ２が出てきた直後には、約９４％の確率で、太い血管（前下小脳動脈Ｍ）と、細い血管（細小動脈Ｎ）が隣接して、顔面神経根Ｈを横切っている。また、脳脊髄液を産生する脈絡叢Ｐが、聴神経Ｌの根元を覆っている。
そして、顔面神経Ｈは蝸牛神経核から延びた聴神経Ｌの裏を通っている。また、顔面神経Ｈは、顔面神経核Ｇから出てきた根元の顔面神経根Ｈ２が顔面神経核Ｇに一番近いため、装着場所としては、この顔面神経根Ｈ２が好適である。
【００３１】
図６は、電極部１の延設部３は、ちょうどクロス状に顔面神経根Ｈの正面を横切る細小動脈Ｎと顔面神経根Ｈ２の間に挟持され固定された状態を示している。
電極部１の中央は円形の電極１ａが配置され、その回りは円錐状のガード部２によってガードされ、さらに、やわらかくて安全な延設部３がハット状に形成され、その延設部３を細小動脈Ｎ、または、前下小脳動脈Ｍ、その隙間を利用して電極部１を固定する。このように、これまでの電極部１にはない延設部３を設けたことにより、安定した刺激ができる電極部１の提供が可能になった。また、多くの場合、さらに脈絡叢Ｐにより強固に把持される。脈絡叢Ｐにより固定してもよい。
【００３２】
電極部１の当接面２ｂの形状には、顔面神経根の形状に合わせて、凹形状、凸形状、フラット形状の３種類が用意されている。
図７の（ａ）に示すように、顔面神経根Ｈの断面が、略楕円形になっているため、この楕円形の外周面に合わせて、当接部２ｂが凹部２ｃであればフィットできる。このケースは約６０％の比率で圧倒的に多い。
図７の（ａ）に示すように、電極部１の延設部３は、ちょうど顔面神経根Ｈ２の正面を横切るように、前下小脳動脈Ｍとクロスするところに装着し、顔面神経根Ｈと前下小脳動脈Ｍ、または、顔面神経根Ｈと細小動脈Ｎとによって挟持され、固定される。また、脈絡叢Ｐにより把持され、固定される。
または、電極部１の延設部３は、ちょうど顔面神経根Ｈ２の正面を横切るように、細小動脈Ｎとが、クロスするところに装着し、顔面神経根Ｈと前下小脳動脈Ｍ、または、顔面神経根Ｈと細小動脈Ｎとによって挟持され、固定される。また、脈絡叢Ｐにより強固に把持され、固定される。
【００３３】
図７の（ｂ）に示すように、顔面神経根Ｈの断面が、扁平形になっている場合、この凹部の外周面に合わせて、当接部２ｂが凸部２ｅであればフィットできる。このケースは約２０％の比率である。
また、図７の（ｃ）に示すように、顔面神経根Ｈの断面が、フラット形になっている場合、このフラットの外周面に合わせて、当接部２ｂがフラット部２ｆであればフィットできる。このケースは約２０％の比率である。
この結果、本発明の顔面神経根持続刺激電極により、顔面神経繊維の全てを一括刺激することができる。
【実施例２】
【００３４】
実施例１と実施例２との相違点は、延設部３の形状にあるため、その相違点の説明をし、その他は重複するため、詳細な説明は省略する。
図８の（ａ）、（ｂ）、（ｃ）に示すように、この実施例２は、実施例１のガード部２の周りに張り出すように形成された延設部３、つまり、ハット状の延設部３が、キャップ状の延設部３ｂになっている点が相違する。延設部３ｂのつば長さｅは、０．５〜１．５ｍｍである。図８に示す延設部３ｂのつば長さｅは、０．５ｍｍである。図９に示すつば長さｅ″は、１．５ｍｍである。つば長さｅ′１．０ｍｍは図示せず。
【００３５】
また、延設部３ｂの配置は、図８、図９の（ａ）に示すように、凹部２ｃに当接する顔面神経根Ｈ２の仮想の軸線ｃの方向と延設部３ｂの中心線との角度αは、６０〜９０度が好適である。これは、患者によって若干相違するためであり、若干の取付け位置を変えた電極部１を用意することにより、ほんどの人に適合させることができる。
つまり、顔面神経根Ｈと太い血管の前下小脳動脈Ｍは平行な場合は、角度αは９０度が好適であり、顔面神経根Ｈと前下小脳動脈Ｍとが２０度で交差している場合は、角度αは７０度が好適であり、顔面神経根Ｈと前下小脳動脈Ｍとが４０度で交差している場合は、角度αは５０度が好適であるが、いろいろである。
また、図８、図９の（ｃ）に示すように、ガード部２には仮想の軸線ｃの方向に合わせたラインのマーキング２ｄが貼付、または、刻設されている。
【００３６】
図１０の（ａ）に示すように、顔面神経根Ｈと前下小脳動脈Ｍとが交差、または接近するところの顔面神経根Ｈの根元付近に延設部３ｂ″を差し込み、電極部１を装着する。この装着方法は同様である。
【００３７】
＜電極部の装着方法＞
顔面神経根持続刺激電極１１の電極部１の装着方法は、顔面神経根Ｈ２の仮想の軸線ｃとマーキング２ｄのラインを一致させるとともに、脳幹Ｆから出た直後の根元、つまり、顔面神経根Ｈ２と、太い血管の前下小脳動脈Ｍとの間、または、細い血管の細小動脈Ｎとの間に、延設部３ｂを装着し固定する方法である。
このように、ひさし（庇）状の延設部３を全周に亘り張り出すように形成されたハット状の延設部３とは異なり、庇状の延設部３が一部分であっても電極部１を固定することができる。
これにより、電極部１は、脳幹Ｆから出た顔面神経根Ｈ２と前下小脳動脈Ｍと間に装着することにより、電極部１を固定することができるため、安定した、極めてノイズが低減した良好な電位の測定が可能になる。
なお、図１０の（ｂ）ではキャップ状延設部３ｂ″を他方にも設け、聴神経Ｌと脳脊髄液を産生する脈絡叢Ｐとの間にキャップ状延設部３ｂ″を挿入している。このようにしてもよい。
【００３８】
図１１の（ａ）に示すように、顔面神経の顔面表情筋の筋電図によるモニタリング装置１２は、顔面神経根持続刺激電極１０と、この顔面神経根持続刺激電極１０が装着される患者の顔面神経根Ｈを刺激する電気刺激手段（刺激装置）６ａと、顔面神経根持続刺激電極１０で誘発された電位を表示する表示手段（表示部）６ｂと、電気刺激手段（刺激装置）６ａおよび表示手段（表示部）６ｂを制御する制御部と入力手段（入力ボックス）と、レファレンス電極（参照電極）とを備え、さらに、同相の混入する背景筋電図を排除する増幅器６ｃと、この増幅器６ｃで増幅されたアナログ信号をデジタル信号に変換するＡ／Ｄ変換器６ｄとを備えた装置から構成されている。
電気刺激手段６ａは、１〜３Ｈｚで発振する電気刺激であり、顔面神経根Ｈ２に向けて刺激電流を発して顔面神経根Ｈ２を刺激する。電気刺激手段６ａは、制御部に電気的に接続されている。この刺激電流は、０．１〜２．０ｍＡが好適である。
【００３９】
詳しくは、図１１の（ｂ）を使用して説明する。図１１の（ｂ）は顔面神経根持続刺激電極１０を使用したモニタリング装置の構成を示すブロック図である。主要な部位を説明する。
＜インピーダンス変換器の構成＞
増幅器側から生体側をみた場合の信号源抵抗を低くするために、インピーダンス変換器を使って、つぎの差動増幅器の負担を軽減する。このインピーダンス変換は、できるだけ電極の近くが望ましい。このようにして、レファレンス電極と顔面神経根持続刺激電極により得られた顔面表情筋収縮筋電図電位との間に測定された電位差は、入力手段のインピーダンス変換器に入力される。
【００４０】
＜増幅器の構成＞
差動増幅器であり、インピーダンス変換器より出力された電位差の信号は、差動増幅器によって定められた増幅率で増幅され、この時、レファレンス電極と顔面神経根持続刺激電極により得られた顔面表情筋収縮筋電図と同相で混入する背景筋電図が排除される。
これにより同相の混入する自発放電筋電図を排除する。差動増幅器の出力は、図示しないフィルタ回路を通して必要な筋電図成分を取り出し、自発放電筋電図などの不要な成分を減衰させる。
＜Ａ／Ｄ変換器の構成＞
増幅器の出力は、筋電図を増幅させた連続した電気信号である。Ａ／Ｄ変換器は、この連続したアナログ信号をデジタル信号に変換する。
＜過大入力除去装置の構成＞
過大入力除去装置は、検出信号の背景自発筋電図を減衰させるため、加算部でデジタル信号に加算して加算平均を行うが、過大な入力があった場合は、加算処理データから除去する装置である。
＜加算部の構成＞
加算部は、デジタル信号に過大入力除去装置からの入力分と加算平均を行うための回路である。
【００４１】
＜表示部の構成＞
図１２の（ａ）に示すように、表示手段の表示部６ｂは、液晶画面である。表示画面６ｂに表示されるデータは、図１３の（ａ）に示すように、たて軸が電位、横軸が時間であり、ツマミ（入力手段）によりＯＮ、ＯＦＦされ、さらに、倍率の選択も可能になっている。また、表示手段の表示部６ｂである液晶画面は、図１２の（ｂ）に示すように、制御部に電気的に接続されている。液晶画面は、デジタルコンピュータのディスプレイであり、顔面神経根持続刺激電極１０で検出した検出信号の入力波形の表示と、条件設定や処理中の状態の表示も行うことができる。
＜記録部の構成＞
記録部は、表示画面６ｂに表示されたデータを印刷するための汎用のプリンタであり、インクジェットプリンタやレーザプリンタが好適である。
＜刺激装置の構成＞
刺激装置には、電気刺激があり、ここでは、電気刺激手段６ａである。
【００４２】
＜制御部の構成＞
制御部は、ＣＰＵ（コンピューターの中央処理装置）とプログラムメモリから構成されている。制御部は、電気刺激手段６ａおよび表示手段６ｂを入力手段からの入力信号に基づいて駆動させるための装置であり、電源部に電気的に接続されている。制御部には顔面神経根持続刺激電極１０で誘発した微小の電位を増幅させて表示手段を駆動させる増幅器の機能も備えている。さらに、制御部は、電気刺激手段６ａおよび表示手段６ｂを入力手段からの入力信号に基づいて駆動させるための装置であり、電源部に電気的に接続されている。
この新たな顔面神経根持続刺激電極１０を使用したモニタリングの方法、ならびに、フィードバックシステム、さらに、このモニタリング結果に応じて手術部位、手術スピード、手術方法を変えることが可能になった、という成果が得られた。実際、これまで困難とされてきた聴神経腫瘍手術においても、本発明の顔面神経根持続刺激電極１０により、ほぼ９５%の確率での顔面神経Ｈを形態学的に温存でき、９０%の確率で顔面神経Ｈを機能的に維持することが可能になっている。
【００４３】
この顔面神経根持続刺激電極１０，１１を使用したモニタリング装置１２は、従来のモニタリング装置と比較評価すれば、刺激電極の安定性、密着性、網羅性等について性能が飛躍的に向上できたことが判る。つまり、手術の際、顔面神経用の持続刺激電極１０，１１を留置するだけでしっかり固定できなかった従来の電極とは、比較にならないほど安定した固定方法により、顔面神経根においてもリアルタイムにモニタリングが可能になるため、高頻度、高特異性、そして、高感度の状態で顔面表情筋の筋電図の電位が、鋭敏かつ感度よく観察できることから、顔面神経Ｈの神経機能を温存させることが飛躍的に向上した。
【００４４】
なお、本発明は前記した実施形態に限られるものではなく、技術的思想を同じくして変形、改造が可能である。たとえば、本実施形態においては、顔面神経根持続刺激電極１０のサイズは、直径φ２．５ｍｍ、高さｈを２．０ｍｍの略円錐形としたが、サイズはこれに限定されるものではなく、これよりも大きくても、小さくても構わない。また、延設部３についても庇状であればよく、開示した庇状の形状に限定されず、この他の形状であってもよい。
また、電極１ａの形状は、円形のほかに、小判形や、楕円形であっても構わない、としたが、たとえば、四辺形や三角形等その他の形状であっても構わない。
また、材質は電極１ａが白金であり、当接部２ｂの凹部２ｃが金（ＡＵ）製としたが、凹形状状の金板としてもよい。なお、金を生体親和性樹脂の導電性シリコンに置き替えても構わない。
さらに、図１０の（ａ）に示すように、キャップ状の延設部３ｂ″の配置は、当接部２ｂの凹部２ｃの軸線ｃの方向と交差する角度αの一方に配置するとしたが、図１０の（ｂ）に示すように、一方と他方の両方に配置しても構わない。
また、マーキングは、ライン状としたが、ドッドにしてもよいし、延設部３，３ｂにマーキング設けても構わない。
【符号の説明】
【００４５】
１，１′，１″  電極部
１ａ  電極
１ｂ  第１電線（第１リード線）
１ｃ  ジョイント
１ｄ  第２電線（第２リード線）
１ｅ  ピンチップ
２    ガード部
２ａ  取手
２ｂ  当接部
２ｃ  凹部
２ｄ  マーキング
２ｅ  凸部
２ｆ  フラット部
３，３′，３″  延設部
３ａ  ハット状の延設部
３ｂ，３ｂ″  キャップ状の延設部
６    顔面神経根持続刺激電極モニタリング装置
６ａ  音刺激手段
６ｂ  表示手段
６ｃ  増幅器
６ｄ  Ａ／Ｄ変換器
１０，１０′，１０″，１１，１１′  顔面神経根持続刺激電極
１２  モニタリング装置
１３  電線部
Ｆ    脳幹
Ｇ    顔面神経核
Ｈ    顔面神経
Ｈ１  顔面神経（脳幹内部）
Ｈ２  顔面神経根
Ｈ３  顔面神経根（脳槽部）
Ｉ    蝸牛神経
Ｊ    眼輪筋
Ｋ    口輪筋
Ｌ    聴神経
Ｍ    前下小脳動脈（太い血管）
Ｎ    細小動脈（細い血管）
Ｐ    脈絡叢
ａ  直径（ガード部）
ｂ  直径（延設部）
ｃ  軸線
ｄ  直径（電極）
ｅ，ｅ′，ｅ″  つば長さ
ｆ  くぼみ深さ（ふくらみ）
ｓ  先端部
【図１】
2010213979.tif 000003
【図２】
2010213979.tif 000004
【図３】
2010213979.tif 000005
【図４】
2010213979.tif 000006
【図５】
2010213979.tif 000007
【図６】
2010213979.tif 000008
【図７】
2010213979.tif 000009
【図８】
2010213979.tif 000010
【図９】
2010213979.tif 000011
【図１０】
2010213979.tif 000012
【図１１】
2010213979.tif 000013
【図１２】
2010213979.tif 000014
【図１３】
2010213979.tif 000015
【図１４】
2010213979.tif 000016
【図１５】
2010213979.tif 000017
【図１６】
2010213979.tif 000018